【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
映像を送信するための送信機と受信機とがネットワーク接続されており，送信機から受信機へ相互に依存関係を持たないフレーム単位で映像が伝送される映像伝送システムにおける送信機であって，
映像を複数のフレームとして時系列順に記憶するフレーム記憶手段と，
１対のフレームの同一性を判定する同一フレーム判定手段と，
前記記憶された複数のフレームのうち，前記同一フレーム判定手段により同一と判定されたフレームに挟まれ，かつ当該同一と判定されたフレームとは異なるフレーム（中間フレーム）が存在するか否かを検出する中間フレーム検出手段と，
前記中間フレーム検出手段が前記中間フレームの存在を検出した場合，当該中間フレームと，前記同一フレーム判定手段によって同一と判定され，かつ当該中間フレームに後続するフレームと，を間引き対象フレームとして決定する間引きフレーム決定手段と，
前記間引き対象フレームとして決定されたフレーム以外のフレームを受信機に向けて送信する送信手段と，
を備える送信機。
【請求項２】
映像を送信するための送信機と受信機とがネットワーク接続されており，送信機から受信機へ相互に依存関係を持たないフレーム単位で映像が伝送される映像伝送システムにおける送信機であって，
映像を複数のフレームとして時系列順に記憶するフレーム記憶手段と，
１対のフレームの同一性を判定する同一フレーム判定手段と，
前記記憶された複数のフレームのうち，前記同一フレーム判定手段により同一と判定されたフレームに挟まれ，かつ当該同一と判定されたフレームとは異なるフレーム（中間フレーム）が存在するか否かを検出する中間フレーム検出手段と，
前記中間フレーム検出手段が前記中間フレームの存在を検出した場合，前記同一フレーム判定手段によって同一と判定された１対の同一フレームのうち，当該中間フレームに後続するフレーム（後方側同一フレーム）に後続するフレームであって，前記同一フレーム判定手段によって，当該後方側同一フレームと同一と判定されるフレーム（後続同一フレーム）の数が所定条件を満たした場合にのみ，（ア）当該中間フレーム，および（イ）当該後方側同一フレームと当該後続同一フレームのうち少なくとも１のフレーム，を間引きの対象フレームとして決定する間引きフレーム決定手段と，
前記間引き対象フレームとして決定されたフレーム以外のフレームを受信機に向けて送信する送信手段と，
を備える送信機。
【請求項３】
映像を送信するための送信機と受信機とがネットワーク接続されており，送信機から受信機へ相互に依存関係を持たないフレーム単位で映像が伝送される映像伝送システムにおける送信機であって，
映像を複数のフレームとして時系列順に記憶するフレーム記憶手段と，
１対のフレームの同一性を判定する同一フレーム判定手段と，
前記記憶された複数のフレームのうち，前記同一フレーム判定手段により同一と判定されたフレームに挟まれ，かつ当該同一と判定されたフレームとは異なるフレーム（中間フレーム）が存在するかどうかを検出する中間フレーム検出手段と，
前記中間フレーム検出手段が前記中間フレームの存在を検出した場合，少なくとも，（ａ）前記中間フレーム検出手段により検出された中間フレームの数，および（ｂ）前記同一フレーム判定手段によって同一と判定された同一フレームのうち当該中間フレームに後続するフレーム（後方側同一フレーム）に後続するフレームであって，前記同一フレーム判定手段によって，当該後方側同一フレームと同一と判定されるフレーム（後続同一フレーム）の数，の関係に基づいてフレームを間引くか否かを決定し，間引くと決定した場合，（ア）当該中間フレーム，および（イ）当該後方側同一フレームと当該後続同一フレームのうち少なくとも１のフレームと，を間引き対象フレームとして決定する間引きフレーム決定手段と，
前記間引き対象フレームとして決定されたフレーム以外のフレームを受信機に向けて送信する送信手段と，
を備える送信機。
【請求項４】
前記関係は，前記中間フレーム検出手段により検出された中間フレームの数が，後続同一フレームの数未満である，
ことを特徴とする請求項３に記載の送信機。
【請求項５】
映像を送信するための送信機と受信機とがネットワーク接続されており，送信機から受信機へ相互に依存関係を持たないフレーム単位で映像が伝送される映像伝送システムにおける送信機を，
映像を複数のフレームとして時系列順に記憶するフレーム記憶手段と，
１対のフレームの同一性を判定する同一フレーム判定手段と，
前記記憶された複数のフレームのうち，前記同一フレーム判定手段により同一と判定されたフレームに挟まれ，かつ当該同一と判定されたフレームとは異なるフレーム（中間フレーム）が存在するか否かを検出する中間フレーム検出手段と，
前記中間フレーム検出手段が前記中間フレームの存在を検出した場合，当該中間フレームと，前記同一フレーム判定手段によって同一と判定され，かつ当該中間フレームに後続するフレームと，を間引き対象フレームとして決定する間引きフレーム決定手段と，
前記間引き対象フレームとして決定されたフレーム以外のフレームを受信機に向けて送信する送信手段と，
して機能させるプログラム。
【請求項６】
映像を送信するための送信機と受信機とがネットワーク接続されており，送信機から受信機へ相互に依存関係を持たないフレーム単位で映像が伝送される映像伝送システムにおける送信機を，
映像を複数のフレームとして時系列順に記憶するフレーム記憶手段と，
１対のフレームの同一性を判定する同一フレーム判定手段と，
前記記憶された複数のフレームのうち，前記同一フレーム判定手段により同一と判定されたフレームに挟まれ，かつ当該同一と判定されたフレームとは異なるフレーム（中間フレーム）が存在するか否かを検出する中間フレーム検出手段と，
前記中間フレーム検出手段が前記中間フレームの存在を検出した場合，前記同一フレーム判定手段によって同一と判定された１対の同一フレームのうち，当該中間フレームに後続するフレーム（後方側同一フレーム）に後続するフレームであって，前記同一フレーム判定手段によって，当該後方側同一フレームと同一と判定されるフレーム（後続同一フレーム）の数が所定条件を満たした場合にのみ，（ア）当該中間フレーム，および（イ）当該後方側同一フレームと当該後続同一フレームのうち少なくとも１のフレーム，を間引きの対象フレームとして決定する間引きフレーム決定手段と，
前記間引き対象フレームとして決定されたフレーム以外のフレームを受信機に向けて送信する送信手段と，
として機能させるプログラム。
【請求項７】
映像を送信するための送信機と受信機とがネットワーク接続されており，送信機から受信機へ相互に依存関係を持たないフレーム単位で映像が伝送される映像伝送システムにおける送信機を，
映像を複数のフレームとして時系列順に記憶するフレーム記憶手段と，
１対のフレームの同一性を判定する同一フレーム判定手段と，
前記記憶された複数のフレームのうち，前記同一フレーム判定手段により同一と判定されたフレームに挟まれ，かつ当該同一と判定されたフレームとは異なるフレーム（中間フレーム）が存在するかどうかを検出する中間フレーム検出手段と，
前記中間フレーム検出手段が前記中間フレームの存在を検出した場合，少なくとも，（ａ）前記中間フレーム検出手段により検出された中間フレームの数，および（ｂ）前記同一フレーム判定手段によって同一と判定された同一フレームのうち当該中間フレームに後続するフレーム（後方側同一フレーム）に後続するフレームであって，前記同一フレーム判定手段によって，当該後方側同一フレームと同一と判定されるフレーム（後続同一フレーム）の数，の関係に基づいてフレームを間引くか否かを決定し，間引くと決定した場合，（ア）当該中間フレーム，および（イ）当該後方側同一フレームと当該後続同一フレームのうち少なくとも１のフレームと，を間引き対象フレームとして決定する間引きフレーム決定手段と，
前記間引き対象フレームとして決定されたフレーム以外のフレームを受信機に向けて送信する送信手段と，
として機能させるプログラム。
【請求項８】
前記関係は，前記中間フレーム検出手段により検出された中間フレームの数が，後続同一フレームの数未満である，
ことを特徴とする請求項７に記載のプログラム。